(57)【特許請求の範囲】
【請求項１】
枚葉紙の搬送ピッチに相当する間隔ごとに設けた吸引穴を長手方向に沿って複数列有し、給紙部より排紙部まで水平方向に移動する歯付きエンドレスベルトと、該エンドレスベルトを駆動する歯付きプーリ及び該エンドレスベルトの下側部の上面に接し、エンドレスベルトの吸引穴の複数列のそれぞれに接する位置に吸引開始端から排紙部まで連続している吸引スリットを有するダクトからなり、前搬送工程からエンドレスベルトに送られる枚葉紙の前端を、エンドレスベルトの下側部の下面の吸引穴で吸引することにより搬送し、排紙部において前記枚葉紙の前端の吸引を解除することにより枚葉紙をパイル上に積むものであって、前記吸引スリットの吸引終了端の位置が、スライドカバーにより可変とされることを特徴とする枚葉紙の搬送装置。
【請求項２】
排紙部において、エンドレスベルトと吸引を解除される枚葉紙の間へフラップが挿入される請求項１記載の枚葉紙の搬送装置。
【発明の詳細な説明】
【０００１】
【発明の属する技術分野】
本発明は、枚葉紙の搬送装置に関する。さらに詳しくは、本発明は、印刷機、検品機、合紙機、集積機、丁合機などに使用することができ、枚葉紙にグリップ跡を残すことがなく、厚い紙から薄い紙まで適用可能であり、パイル上でジャミングを生じることのない簡略な機構の枚葉紙の搬送装置に関する。
【０００２】
【従来の技術】
印刷機、検品機、合紙機、集積機、丁合機などにおいては、枚葉紙を１枚ずつ排紙部まで水平方向に搬送して、パイル上に積む作業が行われる。従来より、枚葉紙を１枚ずつ水平方向に移動する作業は、枚葉紙の前端をグリップで把持して移動するか、あるいは、枚葉紙を１組のエンドレスベルトの間に挟んで移動することにより行われている。
枚葉紙の前端をグリップで把持して移動する方法は、動作が確実であり、排紙部においてパイル上で枚葉紙を解放するのでジャミングを生じるおそれがないが、グリップの機構は複雑であり設備が高価になる上に、紙質によっては紙にグリップ跡が残るという問題がある。枚葉紙を１組のエンドレスベルトの間に挟んで移動する方法は、正確な位置決めの必要がなく運転の許容度が大きいが、パイル上へ枚葉紙を送り出す際にジャミングを起こしやすく、特に薄い紙の取り扱いが困難であるという問題がある。
【０００３】
【発明が解決しようとする課題】
本発明は、厚い紙から薄い紙まで取り扱うことができ、枚葉紙にグリップ跡を残すことがなく、パイル上でジャミングを生じることのない、簡略な機構で動作が確実な枚葉紙の搬送装置を提供することを目的としてなされたものである。
【０００４】
【課題を解決するための手段】
本発明者らは、上記の課題を解決すべく鋭意研究を重ねた結果、枚葉紙の搬送ピッチに相当する間隔ごとに吸引穴を有するエンドレスベルトを用いて、枚葉紙の前端を吸引することにより搬送し、排紙部において吸引を解除することにより、枚葉紙にグリップ跡を残すことなく、パイル上でジャミングを生じることなく、枚葉紙を確実に搬送することが可能となることを見いだし、この知見に基づいて本発明を完成するに至った。
すなわち、本発明は、
（１）枚葉紙の搬送ピッチに相当する間隔ごとに設けた吸引穴を長手方向に沿って複数列有し、給紙部より排紙部まで水平方向に移動する歯付きエンドレスベルトと、該エンドレスベルトを駆動する歯付きプーリ及び該エンドレスベルトの下側部の上面に接し、エンドレスベルトの吸引穴の複数列のそれぞれに接する位置に吸引開始端から排紙部まで連続している吸引スリットを有するダクトからなり、前搬送工程からエンドレスベルトに送られる枚葉紙の前端を、エンドレスベルトの下側部の下面の吸引穴で吸引することにより搬送し、排紙部において前記枚葉紙の前端の吸引を解除することにより枚葉紙をパイル上に積むものであって、前記吸引スリットの吸引終了端の位置が、スライドカバーにより可変とされることを特徴とする枚葉紙の搬送装置、及び、
（２）排紙部において、エンドレスベルトと吸引を解除される枚葉紙の間へフラップが挿入される第(１)項記載の枚葉紙の搬送装置、
を提供するものである。
【０００５】
【発明の実施の形態】
以下、図面により本発明を詳細に説明する。
図１は、本発明装置の側面図である。本発明装置は、枚葉紙の搬送ピッチに相当する間隔ごとに吸引穴を有し、給紙部より排紙部まで水平方向に移動するエンドレスベルト１と、エンドレスベルトの下側部の上面に接し、エンドレスベルトの吸引穴に接する位置に吸引スリットを有するダクト２からなっている。エンドレスベルトは、駆動プーリ３により駆動される。前搬送機構４からエンドレスベルトに送られる枚葉紙は、その前端がエンドレスベルトの吸引穴の位置に一致する状態で、必要に応じて設けられる補助ベルト５とエンドレスベルトにより、エンドレスベルトの吸引穴がダクトの吸引スリットの吸引開始端に達するまで移動される。エンドレスベルトの吸引穴がダクトの吸引スリットの吸引開始端まで移動すると、枚葉紙はエンドレスベルトの下側部の下面に吸引されエンドレスベルトに密着する。ダクトの吸引スリットは、排紙部まで連続しているので、枚葉紙はエンドレスベルトに吸引されたまま、排紙部まで搬送される。排紙部の所定の位置まで枚葉紙が搬送され、エンドレスベルトの吸引穴が吸引スリットの吸引終了端まで達すると吸引が解除され、枚葉紙はパイル６上に落下し、積み上げられる。本発明装置においては、枚葉紙の搬送を吸引により行い、グリップで把持することがないので、薄い紙から厚い紙まで搬送することができ、枚葉紙の前端にグリップ跡が残ることがない。また、１組のエンドレスベルトの間に挟んで搬送する場合のように、枚葉紙をパイルに横方向から供給するのでなく、上方向から落下させるのでジャミングを生じるおそれがない。
【０００６】
図２（ａ）は、本発明装置に用いるエンドレスベルトの側面図であり、図２（ｂ）は、エンドレスベルトの底面図である。エンドレスベルト１は、枚葉紙の搬送ピッチに相当する間隔ごとに吸引穴７を有する。吸引穴は、エンドレスベルト上に等間隔に設けることが好ましい。図２（ｂ）に示すエンドレスベルトにおいては、エンドレスベルトの全周を３等分し、それぞれの位置に２個ずつの吸引穴が設けられている。エンドレスベルト上に設ける吸引穴の数及び位置には特に制限はなく、例えば、エンドレスベルトを４等分、５等分、６等分などして、それぞれの位置に１個、２個、３個などの吸引穴を設けることができる。本発明装置において、エンドレスベルトは歯付きベルトとし、駆動プーリは歯付きプーリとすることが好ましい。エンドレスベルト及び駆動プーリを歯付きとすることにより、エンドレスベルトのずれを防ぎ、正確に位置決めすることができる。
図２（ｃ）は、本発明装置に用いるダクトの底面図である。ダクトの底面８には、吸引開始端９から吸引終了端１０に達する吸引スリット１１が設けられている。ダクトの吸引スリットは、図１に示すように、エンドレスベルトの下側部の上面に接していて、エンドレスベルトの吸引穴が吸引開始端の位置に達したとき枚葉紙の吸引が開始され、エンドレスベルトがそのまま枚葉紙を搬送し、吸引穴が吸引終了端に達したとき、吸引が解除されて枚葉紙はパイル上に落下する。図２（ｂ）のエンドレスベルトは、図２（ｃ）のダクトの底面に対応し、エンドレスベルトの２個の吸引穴が、２本のダクトの吸引スリット上に位置して移動する関係となっている。エンドレスベルトの吸引穴のない部分は、吸引スリットによりダクトに吸引されるので、エンドレスベルトの下側部は給紙部より排紙部に達するまでダクト面に密着して移動し、エンドレスベルトが振動することがなく、枚葉紙は安定して保持される。
本発明装置において、吸引終了端の位置は、枚葉紙のサイズ及びパイルの位置に応じて可変とすることが好ましい。吸引終了端側の吸引スリットに、手動式又は自動式のスライドカバーを設け、スライドカバーを移動することにより、吸引終了端の位置を変更することができる。
【０００７】
図３は、本発明装置の搬送部の底面図である。本発明装置においては、給紙部１２において枚葉紙の前端がエンドレスベルトの吸引穴に吸引され、そのまま左方へ搬送されたのち、排紙部１３において吸引が解除され、枚葉紙がパイル上に落下する。本装置は、１０本のエンドレスベルト１を有し、枚葉紙の幅に応じて使用するエンドレスベルトの本数を変更することができる。例えば、本装置においては、１ａから１ｄまでの１０本のエンドレスベルトを使用することにより、１，１００ｍｍ巾の枚葉紙を搬送することができ、１ｂから１ｃまでの６本のエンドレスベルトを使用することにより、７００ｍｍ巾の枚葉紙を搬送することができる。
本発明装置においては、必要に応じて、枚葉紙のパイル上への落下を容易にするための補助装置を設けることができる。図４（ａ）は、枚葉紙落下補助装置の一態様の斜視図であり、図４（ｂ）は、該落下補助装置の部分側面図である。エンドレスベルト１により搬送された枚葉紙１４は、排紙部において吸引が解除されるとともに、枚葉紙落下補助装置１５のフラップ１６によりエンドレスベルトから強制的にはずされ、枚葉紙の前端がストッパー１７に当たってパイル６上に落下し積み重ねられる。
本発明装置においては、必要に応じて、排紙部において枚葉紙の後端部にエンドレスベルトの速度よりも遅い周辺速度で回転する吸引車を設け、枚葉紙の後端部に後方へ引く力を軽くかけることにより、紙揃えを容易にすることができる。さらに、本発明方法においては、パイルの左右に紙寄せ板を設け、パイルに振動を与えることにより、完全な紙揃えを行うことができる。
図５は、本発明の枚葉紙の搬送装置を用いた枚葉紙の欠点検査機の部分側面図である。本図には図示されていないが、給紙機より１枚ずつ送り出された枚葉紙は、検査用照明及び検査用カメラ部において欠点検査を行う。欠点検査を終えた枚葉紙は、搬送サクションベルト１８上へ移動する。枚葉紙に欠点がある場合は、不良紙フラップ１９が開いて、不良紙として不良紙デリバリー２０へ搬送される。不良紙デリバリーへの搬送にも、吸引穴を有するエンドレスベルト１を備えた本発明装置が用いられる。枚葉紙に欠点がない場合は、不良紙フラップは閉じたままで、枚葉紙は本発明の枚葉紙搬送装置により、良紙デリバリー２１へ搬送される。
【０００８】
【発明の効果】
本発明の枚葉紙の搬送装置は、枚葉紙の前端をグリップで把持することなく、枚葉紙の前端を吸引することにより保持して搬送するので、枚葉紙の厚さの影響を受けることが少なく、枚葉紙の前端にグリップ跡が残ることがない。本発明装置によれば、厚さ３０〜１００ｇ／ｍ２の薄い紙も容易に搬送することができる。また、本発明装置は、グリップのような複雑な機構を有しないので、容易に製作することができ、運転上のトラブルを生じることが少ない。
【図面の簡単な説明】
【図１】図１は、本発明装置の側面図である。
【図２】図２は、本発明装置に用いるエンドレスベルトの側面図及び底面図並びにダクトの底面図である。
【図３】図３は、本発明装置の搬送部の底面図である。
【図４】図４は、枚葉紙落下補助装置の一態様の斜視図及び部分側面図である。
【図５】図５は、本発明の枚葉紙の搬送装置を用いた枚葉紙の欠点検査機の部分側面図である。
【符号の説明】
１  エンドレスベルト
２  吸引スリットを有するダクト
３  駆動プーリ
４  前搬送機構
５  補助ベルト
６  パイル
７  吸引穴
８  ダクトの底面
９  吸引開始端
１０  吸引終了端
１１  吸引スリット
１２  給紙部
１３  排紙部
１４  搬送された枚葉紙
１５  枚葉紙落下補助装置
１６  フラップ
１７  ストッパー
１８  搬送サクションベルト
１９  不良紙フラップ
２０  不良紙デリバリー
２１  良紙デリバリー
【図１】
0003615853.tif 000002
【図２】
0003615853.tif 000003
【図３】
0003615853.tif 000004
【図４】
0003615853.tif 000005
【図５】
0003615853.tif 000006